(57)【要約】【課題】簡易な構成により、ローラの不必要な回転によってディスク表面に傷が生じるのを防止することができるディスク再生装置を提供する。【解決手段】ディスクを搬送する搬送機構に動力を伝達する遊星歯車４０を保持するキャリア部材３９を移動可能に配設するとともに、前記遊星歯車４０が動力伝達位置にあるように前記キャリア部材３９の移動を規制するとともに前記ディスクの所定位置への挿入と連動して規制を解除することにより前記遊星歯車４０が動力伝達不能位置に移動可能とする規制部材１２を設けた。【選択図】図１
2005259261.tif 000002
【特許請求の範囲】
【請求項１】
ディスクを搬送する搬送機構を備えるディスクローディング装置において、前記搬送機構に動力を伝達する歯車を保持するキャリア部材を移動可能に配設するとともに、前記歯車が動力伝達位置にあるように前記キャリア部材の移動を規制するとともに前記ディスクの所定位置への挿入と連動して規制を解除することにより前記歯車が動力伝達不能位置に移動可能とする規制部材を設けたことを特徴とするディスクローディング装置。
【請求項２】
前記ディスクを押圧するクランパを前記ディスクに対して接離動作させるクランパ接離機構を備え、前記歯車は遊星歯車であり、前記規制部材による規制が解除され動力伝達不能位置に移動した前記遊星歯車を噛合して公転させる内歯歯車を配設するとともに、前記遊星歯車の公転による前記キャリア部材の移動と連動して移動する移動部材を設け、前記移動部材に前記クランパ接離機構を動作させる案内溝を形成したことを特徴とする請求項１に記載のディスクローディング装置。
【発明の詳細な説明】
【技術分野】
【０００１】
本発明は、ディスクローディング装置に関する。
【背景技術】
【０００２】
従来、例えばディスク再生装置やディスク読取装置には、ディスクを挿入口に差し込むことにより自動的にディスクを読み取り可能な所定位置あるいは書き込み可能位置に引き込んだ後に、ディスクを所定位置で固定するディスクローディング装置が備えられている。
【０００３】
図６は、従来のディスクローディング装置を備えたディスク再生装置６０を示したもので、以下においては、ディスクの挿入口側を前面、ディスクを水平方向に挿入した場合において、ディスクの読取面側を下面として説明する。
【０００４】
ディスク再生装置６０は、ディスクの表面に接して回転することにより、図示しないターンテーブルの上方にディスクを引き込んだりターンテーブルの上方よりディスクを排出するためのローラ６１を備えている。ローラ６１のシャフト６２には、ローラ６１を回転させるためのローラギア６３が取り付けられており、ローラギア６３には二段歯車６４及び伝達歯車６５等を介して図示しないモータからの動力が伝達されるようになっている。
【０００５】
ローラ６１の後方には、ディスクをターンテーブルに対して押圧するクランパ６６を支持するクランパアーム６７が、その一側部に取り付けられた板バネ６８を上下動させることにより、上下方向に揺動可能に配設されており、クランパアーム６７が、下方に揺動することによりクランパ６６でディスクが押圧され、ディスクが所定位置に固定（チャッキング）されるようになっている。
【０００６】
ディスクのチャッキングにあたっては、ディスクの引き込み終了後に、伝達歯車６５のローラギア６３への噛合解除することによりローラ６１の回転を停止させるとともに、ローラ６１をディスクの表面から退避させることが行われている。
【０００７】
従来のディスク再生装置６０においては、ディスクが所定位置に引き込まれたことと連動して、上述の伝達歯車６５のローラギア６３への噛合解除、ローラ６１の退避、及びクランパ６６によるディスクのクランプ動作を行わせるために、ディスクの引き込み終了を契機として前後方向に移動する移動部材６９が配設されている。
【０００８】
移動部材６９の前部には、移動部材６９が前後方向に移動することにより、伝達歯車６５のローラギア６３への噛合を解除するための伝達解除アーム７０を上下方向に案内するアーム案内溝７１、及びローラ６１を上下方向に案内するローラ案内溝７２が形成されており、移動部材６９の後部には、板バネ６８を上下方向に案内する板バネ案内溝７３が形成されている。
【０００９】
そして、伝達解除アーム７０には、アーム案内溝７１に係合してアーム案内溝７１に案内されるアーム案内ピン７４が形成されており、ローラ６１のシャフト６２を支持する支持板７５には、ローラ案内溝７２に係合してローラ案内溝７２に案内されるローラ案内ピン７６が設けられている。また、板バネ６８の一端部には、板バネ案内溝７３に係合して板バネ案内溝７３に案内される板バネ案内ピン７７が設けられている。
【００１０】
上述の従来のディスク再生装置６０においては、ディスクが、ターンテーブルの上方の所定位置に引き込まれたことを契機として移動部材６９が移動することにより、図７に示すように、アーム案内ピン７４がアーム案内溝７１に沿って上方へ移動し、これに伴って伝達歯車６５が上方に移動してローラギア６３への噛合が解除され、ローラ６１の回転が停止する。また、ローラ案内ピン７６がローラ案内溝７２に沿って下方へ移動し、これに伴ってローラ６１がディスクの表面から退避する。同時に、板バネ６８ピンが板バネ案内溝７３に沿って下方へ移動し、これに伴って板バネ６８が設けられたクランパアーム６７が下方へ揺動して、クランパ６６によりディスクがクランプされる。
【００１１】
このように、従来のディスク再生装置６０では、ディスクが所定位置に引き込まれた後、移動部材６９の移動に伴ってアーム案内ピン７４がアーム案内溝７１に沿って上方へ移動している間、ディスクは所定位置で位置決めされているにもかかわらず、ローラ６１が回転し続けるため、ディスクの表面にローラが摺接することになり、ディスクの表面が傷付いてしまうおそれがあった。
【００１２】
また、伝達歯車６５のローラギア６３への噛合解除と、ディスクのクランプ動作及びローラ６１の退避とが、移動部材６９を移動させることにより同時に行われるため、移動部材６９が移動する際の負荷が高く、これら一連のチャッキング動作に大きな動力を要する。
【００１３】
そこで、このような不都合のないディスク再生装置として、ディスクが所定位置に挿入されたことを契機に、移動部材の移動に連動させるることなく、ディスクを搬送する搬送機構とこの搬送機構に対して動力を伝達する動力伝達機構との連結を解除するディスク再生装置が知られている（例えば、特許文献１参照）。
【００１４】
このディスク再生装置に係る動力伝達機構は、図８に示すように、モータ８０を有しており、モータ８０の出力ギア８１には二段歯車８２の大径歯車が噛合されている。この二段歯車８２の小径歯車には、太陽歯車８３の大径歯車が噛合されており、この太陽歯車８３の小径歯車には、キャリア部材８４に保持された遊星歯車８５が噛合されている。また、図示しないシャシには、遊星歯車８５を公転させる半円状の内歯歯車８６が設けられている。
【００１５】
キャリア部材８４の周面には、ディスクが所定位置まで引き込まれることによりスライドするスライド部材（図示しない）が係止される係止片８７が設けられているとともに、周面の一部には、キャリア部材８４が回動することにより後述の歯車に噛合可能な歯部８８が形成されている。
【００１６】
また、太陽歯車８３とキャリア部材８４との間には、モータ８０からの動力を搬送機構に伝達する伝達歯車８９を支持する支持部材９０が、太陽歯車８３及びキャリア部材８４と同軸上で回転可能に配設されている。支持部材９０は、円形部９１と円形部９１の周面から突出した方形部９２からなる。円形部９１には、歯部９３が形成されており、この歯部９３には、シャシに回転自在に配設された歯車９４が噛合されている。また、方形部９２には、伝達歯車８９が回転自在に支持されており、この伝達歯車８９は、太陽歯車８３の大径歯車に噛合されている。
【００１７】
そして、支持部材９０は、ディスクが所定位置に挿入されておらず、スライド部材がスライドしていない状態において、伝達歯車８９が搬送機構に接続されるように配設されている。また、キャリア部材８４は、上述の状態において、キャリア部材８４の歯部８８が歯車９４に噛合しておらず、遊星歯車８５が内歯歯車８６に近傍にあって噛合していない状態となるように配設されている。
【００１８】
このようなディスク再生装置においては、ディスクが差し込まれ、モータ８０が駆動すると、出力ギア８１、二段歯車８２、太陽歯車８３を介して伝達歯車８９にモータ８０の動力が伝達され、伝達歯車８９に接続されている搬送機構が駆動して、ディスクが所定位置に向けて引き込まれる。
【００１９】
ディスクが所定位置に到達すると、これに連動して、スライド部材がキャリア部材８４の係止片８７に係止された状態でスライドすることにより、キャリア部材８４が回動する。これにより、遊星歯車８５が内歯歯車８６に噛合し、内歯歯車８６に沿って公転する。これに伴ってキャリア部材８４が回動し、キャリア部材８４に形成された歯部８８が歯車９４に噛合する。さらに遊星歯車８５が公転してキャリア部材８４が回動すると、歯車９４が回転して、この歯車９４に歯部９３が噛合されている支持部材９０が回動する。これに伴って、伝達歯車８９が移動し、搬送機構との接続が解除され、搬送機構を構成するローラ（図示しない）の回転が停止する。
【特許文献１】特開２００２−２８８９１１号公報
【発明の開示】
【発明が解決しようとする課題】
【００２０】
しかし、上述の遊星歯車の公転によるキャリア部材に回動に伴って、伝達歯車を支持する支持部材を回動させて、伝達歯車と搬送機構との接続を解除するディスク再生装置では、支持部材を配設しなければならず、部品点数が多く、構成が複雑になるという問題があった。
【００２１】
そこで、本発明は、簡易な構成により、ローラの不必要な回転によってディスク表面に傷が生じるのを防止することができるディスク再生装置を提供することを目的とする。
【課題を解決するための手段】
【００２２】
上記課題を解決するために本発明によるディスクローディング装置は、ディスクを搬送する搬送機構を備えるディスクローディング装置において、前記搬送機構に動力を伝達する歯車を保持するキャリア部材を移動可能に配設するとともに、前記歯車が動力伝達位置にあるように前記キャリア部材の移動を規制するとともに前記ディスクの所定位置への挿入と連動して規制を解除することにより前記歯車が動力伝達不能位置に移動可能とする規制部材を設けたことを特徴とする。
【００２３】
請求項２に記載の発明は、請求項１に記載のディスクローディング装置において、前記ディスクを押圧するクランパを前記ディスクに対して接離動作させるクランパ接離機構を備え、前記歯車は遊星歯車であり、前記規制部材による規制が解除され動力伝達不能位置に移動した前記遊星歯車を噛合して公転させる内歯歯車を配設するとともに、前記遊星歯車の公転による前記キャリア部材の移動と連動して移動する移動部材を設け、前記移動部材に前記クランパ接離機構を動作させる案内溝を形成したことを特徴とする。
【発明の効果】
【００２４】
本発明によれば、規制部材によるキャリア部材の移動に対する規制が解除されると、歯車が動力伝達の反力により動力伝達位置から移動することから、ディスクの所定位置への引き込みと連動して規制部材を移動させるのみで、歯車の搬送機構への連結が解除されるため、簡易な構成により、ディスクが所定位置に到達した後、直ちにローラの回転を停止させることができ、この結果、ローラの不必要な回転によってディスク表面に傷が生じるのを防止することができる。
【発明を実施するための最良の形態】
【００２５】
以下、本発明の実施の形態を、図１から図５を参照して説明する。
【００２６】
図１は、本発明に係るディスクローディング装置を適用したディスク再生装置１の一実施形態を示したもので、以下においては、ディスクの挿入口側を前面、ディスクを水平方向に挿入した場合において、ディスクの読取面側を下面として説明する。
【００２７】
ディスク再生装置１は、図１に示すように、ディスクを回転させるターンテーブル及びディスクに形成されたピットを読み取るピックアップユニット（いずれも図示しない）を搭載するシャシ２を有している。
【００２８】
シャシ２の後部には、ディスクをターンテーブルに対して押圧するクランパ３を支持するクランパアーム４が、クランパ支持側と対向する側の端部を支軸として揺動自在に設けられており、クランパアーム４の側端部には、ディスククランプ時には下方へ、クランプ開放時には上方へクランパアーム４を付勢する板バネ５が設けられている。これらクランパアーム４及び板バネ５等によりクランパ接離機構が構成されている。
【００２９】
シャシ２の両側部上面には、シャシ２の側部に沿って移動可能な第１移動部材６及び第２移動部材７が、前側端部を連結部材８により連結されて配設されている。連結部材８は、シャシ２の前部上面に突設された支持軸９に、この支持軸９を中心として揺動自在に設けられており、これにより第１移動部材６及び第２移動部材７は相対的に移動するようになっている。第１移動部材６には、ディスクの所定位置への引き込みと連動して第１移動部材６に沿ってスライドする板状のスライド部材１０が、第１移動部材６に取り付けられている。
【００３０】
スライド部材１０の後側端部には、図２に示すように、クランパアーム４側に突出する突出部１１が形成されている。また、スライド部材１０の中間部には、直方体形状の規制部材１２が、クランパアーム４側に突出するように設けられており、この規制部材１２は、先端面において後述のキャリア部材３９の移動を規制するようになっている。
【００３１】
また、スライド部材１０の前側端部には、スライド動作を案内させるための案内片１３が形成されているとともに、スライド部材１０の第１移動部材６に摺接する面には、ガイド溝１４が形成されている。
【００３２】
第１移動部材６のガイド溝１４と対応する位置には、このガイド溝１４に係合してスライド部材１０を案内する案内片１５が突設されており、第１移動部材６の案内片１３に対応する位置には、この案内片１３を係合させてスライド部材１０を案内するガイド溝１６が形成されている。
【００３３】
そして、第１移動部材６及びスライド部材１０には、コイルバネ１７を係止する係止片１８，１９がそれぞれ設けられており、これら係止片１８，１９に係止されたコイルバネ１７により、スライド部材１０が後方に付勢された状態で保持されている。
【００３４】
また、第１移動部材６の下部には、後述のキャリア部材３９に設けられたピン４２を後方から係止するピン係止部２０が設けられている。
【００３５】
さらに、第１移動部材６の後部には、第１移動部材６の移動動作に伴って、板バネ５を上下方向に案内する案内溝（図示しない）が形成されている。また、第１移動部材６の前部には、第１移動部材６の移動動作に伴って、後述のローラ２８のシャフト２９を上下方向へ案内する傾斜壁（図示しない）が形成されている。
【００３６】
クランパアーム４の上面であって板バネ５の近傍には、支持軸２１が突設されており、この支持軸２１には、スライド部材１０に動作の契機を与える板状のトリガアーム２２が、前記支持軸２１を中心として揺動自在に取り付けられている。
【００３７】
トリガアーム２２の一端部には、スライド部材１０の突出部１１に係止されトリガアーム２２が揺動することにより突出部１１を前方へ押圧してスライド部材１０をスライドさせるアーム部２３が形成されている。また、トリガアーム２２におけるアーム部２３の反対側には、１２センチのディスクの挿入にともなってディスクの周縁部が突き当てられアーム部２３を揺動させる突当部２４と、８センチのディスクの挿入にともなってディスクの周縁部が係止されてアーム部２３を揺動させる爪状の突起部２５とがそれぞれ形成されている。
【００３８】
クランパアーム４の裏面には、１２センチのディスク及び８センチのディスクをターンテーブル上方の所定位置に位置決めするための１２センチディスク位置決めボス２６及び８センチディスク位置決めボス２７が、それぞれ突設されている。
【００３９】
シャシ２の前部には、ディスクの表面に接して回転力によりディスクを搬送するローラ２８が、ローラ２８を構成するシャフト２９を移動部材６，７の前側端部に軸支されて設けられている。
【００４０】
シャフト２９の一端には、ギア列３０が接続されており、これらローラ２８及びギア列３０によりディスクを搬送する搬送機構が構成されている。そして、搬送機構には、この搬送機構に対して動力を伝達する動力伝達機構３１が接続されている。
【００４１】
シャシ２におけるローラ２８より前側には、ディスクを差し込むことによりスライドするスライダ（図示しない）が設けられており、このスライダが所定位置にスライドした際に押動可能な位置には、搬送機構に伝達される動力を発生させるモータ３４の動作を開始させる開始スイッチ（図示しない）が配設されている。
【００４２】
また、シャシ２の前部上面には、モータ３４の動作を停止させる停止スイッチ３２が配設されているとともに、連結部材８には、ディスク引き込み時における移動部材６，７の移動終了位置において前記停止スイッチ３２を押動してモータ３４の動作を停止させる押動部３３が設けられている。
【００４３】
動力伝達機構３１は、図３に示すように、モータ３４を有しており、モータ３４の出力ギア３５には第１二段歯車３６の大径歯車が噛合されているとともに、この第１二段歯車３６の小径歯車には、第２二段歯車３７の大径歯車が噛合されている。第２二段歯車３７の小径歯車には、太陽歯車３８の大径歯車が噛合されており、この太陽歯車３８の小径歯車には、キャリア部材３９に保持された遊星歯車４０が噛合されている。また、シャシ２の遊星歯車４０による搬送機構への動力伝達が可能な動力伝達位置の近傍には、遊星歯車４０を噛合して公転させる弧状の内歯歯車４１が配設されている。
【００４４】
キャリア部材３９は、図４に示すように、太陽歯車３８の大径と略同一の径を有し、周面の一部が突出形成された円板状の部材であり、突出部分の一面には、スライド部材１０に設けられた規制部材１２の先端面により規制を受けるピン４２が設けられている。
【００４５】
ピン４２の突設面と同一面には、遊星歯車４０を陥入させる切欠部４３が形成されており、この切欠部４３には、遊星歯車４０を回転可能に保持する軸４４が設けられている。また、キャリア部材３９の中心部には、太陽歯車３８の小径歯車を陥入させる陥入孔が形成されている。キャリア部材３９の太陽歯車３８と対向する面には、第２二段歯車３７の小径歯車を太陽歯車３８に噛合させるために、大径部分を太陽歯車３８との間に陥入させる切欠部４５が形成されている。
【００４６】
また、キャリア部材３９の周面の一部には、シャシ２に揺動自在に配設された略Ｌ字形状の係止アーム４６を係止可能な係止部４７が形成されている。
【００４７】
そして、キャリア部材３９は、トリガアーム２２のアーム部２３がスライド部材１０の突出部１１を押圧しておらず、スライド部材１０がコイルバネ１７により後方に付勢された状態において、ピン４２が規制部材１２の先端面により規制を受ける位置に配設されている。また、この状態においては、遊星歯車４０は、動力伝達位置にあり、内歯歯車４１に噛合されないように配設されている。また、キャリア部材３９の係止部４７には係止アーム４６が係止されており、キャリア部材３９は、係止アーム４６と一端を係止アーム４６に係止され他端をシャシ２に設けられた突起部４６に係止されたねじりバネ４９とにより、ディスク引き込み時の移動方向と逆方向に付勢されている（図１、図３、図５参照）。
【００４８】
搬送機構のギア列３０は、図３及び図１に示すように、はすば歯車と平行歯車からなる伝達歯車５０を有しており、この伝達歯車５０の平行歯車は、遊星歯車４０の動力伝達位置において遊星歯車４０に噛合されているとともに、はすば歯車は、軸の両端に取り付けられているウォームギア５１の一方に噛合されている。他方のウォームギア５１には、はすば歯車と平行歯車からなる二段歯車５２のはすば歯車が噛合されており、この二段歯車５２の平行歯車には、中間歯車５３が噛合されている。そして、中間歯車５３には、ローラ２８のシャフト２９に取り付けられたローラギア５４が噛合されている。
【００４９】
次に、本実施形態の動作について説明する。
【００５０】
ディスクが挿入されていない状態においては、図５（Ａ）に示すように、遊星歯車４０は、動力伝達位置にあって伝達歯車５０と噛合しており、内歯歯車４１には噛合されていない。そして、スライド部材１０は、コイルバネ１７の付勢により後方に位置しており、キャリア部材３９のピン４２がスライド部材１０に設けられた規制部材１２の先端面により規制を受けている。また、キャリア部材３９の係止部４７には、係止アーム４６が係止されている。
【００５１】
ディスクが挿入口に差し込まれると、スライダがスライドしてスライダによりモータ３４の開始スイッチが押動される。これによりモータ３４が駆動し、その動力が出力ギア３５、第１二段歯車３６及び第２二段歯車３７を介して太陽歯車３８及び遊星歯車４０に伝達され、さらには、遊星歯車４０の自転により伝達歯車５０に伝えられる。そして、伝達歯車５０により、ウォームギア５１、二段歯車５２及び中間歯車５３を介して、ローラギア５４に対してモータ３４からの動力が伝達され、ローラギア５４が回転する。これによりローラ２８が回転駆動し、ディスクが所定位置に向けて引き込まれていく。
【００５２】
このとき、ローラ２８は、ディスクの表面に接した状態で回転するため、このローラ２８を回転させるための大きな負荷が伝達歯車５０にかかっており、遊星歯車４０は、この伝達歯車５０にかかる負荷により、伝達歯車５０との接点において自転方向とは逆方向に反力を受けている。このため、遊星歯車４０は、反力方向に移動しようとするが、この遊星歯車４０を保持するキャリア部材３９は、ピン４２を介して規制部材１２の先端面により、移動動作を規制されているため、遊星歯車４０は、動力伝達位置に留まって自転を続ける（図５（Ａ）参照）。このため、モータ３４からの動力が遊星歯車４０から伝達歯車５０等を介して伝達されて、ローラ２８が回転し続け、ディスクがさらに引き込まれていく。
【００５３】
ディスクが引き込まれていき、トリガアーム２２の突当部２４に突き当てられ、あるいは突起部２５に係止されると、図５（Ｂ）に示すように、ディスクの挿入動作に伴ってトリガアーム２２が支持軸２１を中心として揺動し、これに従ってトリガアーム２２のアーム部２３が揺動することにより、アーム部２３に係止されているスライド部材１０の突出部１１が前方に押圧される。すると、スライド部材１０が、コイルバネ１７の付勢力に抗して、ガイド溝１４，１６及び案内片１３，１５に案内されて第１移動部材６に沿ってスライドし、これに伴って、スライド部材１０に設けられた規制部材１２がスライドして、キャリア部材３９のピン４２に対する規制が解除される。
【００５４】
このとき、遊星歯車４０は、反力により移動しようとしており、遊星歯車４０を保持するキャリア部材３９に対する規制が解除されると、キャリア部材３９の移動が可能になるため、図５（Ｃ）に示すように、動力伝達位置から反力方向に移動して、伝達歯車５０との噛合が外れる。これにより、モータ３４からの動力が伝達歯車５０に対して伝達されない状態となり、ローラ２８の回転が停止する。
【００５５】
なお、これとほぼ同時に、ディスクはターンテーブル上方の所定位置に到達して、位置決めボス２６，２７に係止された状態となっている。
【００５６】
動力伝達位置から移動した遊星歯車４０は、図５（Ｄ）に示すように、内歯歯車４１に噛合し、太陽歯車３８の回転に伴って内歯歯車４１に沿って公転する。遊星歯車４０の公転に従ってキャリア部材３９が移動して、キャリア部材３９のピン４２がスライド部材１０に設けられた規制部材１２の側面を押すため、スライド部材１０がさらにスライドする。すると、コイルバネ１７の付勢力により第１移動部材６が、スライド部材１０に追従して移動する。このとき、スライド部材１０の突出部１１は、アーム部２３材のアーム部２３による係止から外れる。なお、第１移動部材６に、スライド部材１０の前側端部が当接される当接部を設け、スライド部材１０が当接部に当接してスライドすることにより、第１移動部材６が移動するようにしてもよい。
【００５７】
第１移動部材６が移動すると、この移動動作に伴って板バネ５が、第１移動部材６に形成された案内溝に沿って下方に移動し、ローラ２８のシャフト２９が、第１移動部材６に形成された傾斜壁に沿って下方へ移動する。板バネ５が下方に移動するのに従って、板バネ５が取り付けられたクランパアーム４が下方へ移動するとともに、板バネ５の付勢力によりクランパアーム４が下方に押圧され、クランパ３がディスクをターンテーブルに対して押圧する。また、ローラ２８のシャフト２９が下方に移動するのに従って、ローラ２８が下方へ移動し、ディスクの表面から退避する。
【００５８】
このように、伝達歯車５０への動力伝達の反力を利用して、遊星歯車４０の伝達歯車５０への噛合が解除されるとともに、遊星歯車４０が内歯歯車４１に噛合して公転し、これにより第１移動部材６が移動するのに伴って、上述の一連のチャッキング動作が行われるため、ディスクの引き込み動作からチャッキング動作への移行が容易になされる。
【００５９】
また、第１移動部材６の移動に伴って、連結部材８が支持軸９を中心として揺動し、第１移動部材６が移動終了位置まで到達すると、連結部材８に設けられた押動部３３がモータ３４の停止スイッチ３２を押動し、モータ３４の駆動が停止する。
【００６０】
この状態においては、スライド部材１０がコイルバネ１７により後方へ付勢されているため、キャリア部材３９のピン４２は、スライド部材１０に設けられた規制部材１２により後方へ押された状態となっているが、後方から第１移動部材６のピン係止部２０により係止されているため、キャリア部材３９及び遊星歯車４０はその場に留まる。
【００６１】
その後、ターンテーブルが回転するとともにピックアップによる読取動作が行われ、ディスクに記録された音声等が再生される。
【００６２】
ディスクを取り出す際には、ユーザの操作等によりディスク排出信号が入力され、この信号に基づいてモータ３４が制御され、ディスク引き込み時とは逆方向に回転駆動する。すると、モータ３４の駆動による動力が出力ギア３５、第１二段歯車３６及び第２二段歯車３７を介して太陽歯車３８及び遊星歯車４０に伝達され、遊星歯車４０が内歯歯車４１に沿ってディスク挿入時とは逆方向に公転する。この遊星歯車４０の公転に伴って、キャリア部材３９が後方に移動することにより、キャリア部材３９に設けられたピン４２が、第１移動部材６のピン係止部２０を後方へ押し、第１移動部材６が後方へ移動する。このとき、スライド部材１０は、コイルバネ１７の付勢力により第１移動部材６とともに後方へ移動する。
【００６３】
第１移動部材６の後方への移動に伴って、板バネ５が案内溝に沿って上方に移動し、ローラ２８のシャフト２９が傾斜壁に沿って上方へ移動する。板バネ５が上方に移動するのに従って、板バネ５が取り付けられたクランパアーム４が上方へ移動し、また、ローラ２８のシャフト２９が上方に移動するのに従って、ローラ２８が上方へ移動してディスクの表面に接する。
【００６４】
遊星歯車４０が公転により内歯歯車４１の端部まで移動すると、キャリア部材３９の係止部４７が係止アーム４６に係止され、キャリア部材３９が動力伝達位置に位置決めされるとともに、遊星歯車４０が内歯歯車４１への噛合が外れ、伝達歯車５０に噛合する。このとき、キャリア部材３９のピン４２は、スライド部材１０に設けられた規制部材１２の側面から外れて、動力伝達位置において規制部材１２の先端面による規制を受け得る位置に到達する。また、スライド部材１０の突出部１１がアーム部２３材のアーム部２３に係止する。
【００６５】
遊星歯車４０が伝達歯車５０に噛合すると、モータ３４の動力が遊星歯車４０の自転により伝達歯車５０に伝えられ、伝達歯車５０により、ウォームギア５１、二段歯車５２及び中間歯車５３を介して、ローラギア５４に対してモータ３４からの動力が伝達されてローラギア５４が回転する。これによりローラ２８がディスク挿入時とは逆方向に回転駆動し、ディスクが排出されていく。
【００６６】
このとき、キャリア部材３９は、係止部４７が係止アーム４６により係止されているため、ディスクの排出動作の負荷変動によるガタツキが防止される。また、キャリア部材３９は、係止アーム４６とねじりバネ４９とにより、ディスク挿入時の移動方向と逆方向、すなわち遊星歯車４０が内歯歯車４１側へ移動する方向とは逆方向に付勢されているため、外部からの振動等により遊星歯車４０が内歯歯車４１に噛合してしまい、次にディスクを差し込んでモータ３４が駆動した際に、ディスクが所定位置に挿入される前に、遊星歯車４０が公転して第１移動部材６が移動するのに伴ってクランプアームが下方へ移動してしまうことが防止される。なお、キャリア部材３９は、係止アーム４６とねじりバネ４９とにより、ディスク挿入時の移動方向と逆方向に付勢されているため、ねじりバネ４９による付勢力を調整しておけば、ディスクの挿入動作からクランプ動作への移行タイミングを調整することも可能である。
【００６７】
以上より、本実施形態によれば、規制部材１２によるキャリア部材３９の移動に対する規制が解除されると、遊星歯車４０が伝達歯車５０への動力伝達の反力により動力伝達位置から移動することから、ディスクの所定位置への引き込みと連動して規制部材１２を移動させるのみで、遊星歯車４０の伝達歯車５０への噛合が解除されるため、簡易な構成により、ディスクが所定位置に到達した後、直ちにローラ２８の回転を停止させることができ、この結果、ローラ２８の不必要な回転によってディスク表面に傷が生じるのを防止することができる。
【図面の簡単な説明】
【００６８】
【図１】本発明によるディスク再生装置の一実施形態の構成を示す平面図である。
【図２】本実施形態によるディスク再生装置を構成する移動部材及びスライド部材の構成を示す斜視図である。
【図３】本実施形態によるディスク再生装置を構成する動力伝達機構の構成を示す平面図である。
【図４】（Ａ）本実施形態によるディスク再生装置を構成する遊星歯車機構の上方から見た分解斜視図であり、（Ｂ）は、本実施形態によるディスク再生装置を構成する遊星歯車機構の下方から見た分解斜視図である。
【図５】本実施形態によるディスク再生装置を構成する遊星歯車機構の動作を説明する説明図である。
【図６】従来のディスク再生装置の構成を示す分解斜視図である。
【図７】従来のディスク再生装置における伝達歯車とローラギアとの噛合解除動作を説明する説明図である。
【図８】他の従来のディスク再生装置を構成する動力伝達機構を示す平面図である。
【符号の説明】
【００６９】
１    ディスク再生装置
３    クランパ
４    クランパアーム
６    第１移動部材（移動部材）
１０  スライド部材
１２  規制部材
２２  トリガアーム
２３  アーム部
２８  ローラ
２９  シャフト
３０  ギア列
３１  動力伝達機構
３４  モータ
３８  太陽歯車
３９  キャリア部材
４０  遊星歯車
４１  内歯歯車
４２  ピン
５０  伝達歯車
５４  ローラギア
【図１】
2005259261.tif 000003
【図２】
2005259261.tif 000004
【図３】
2005259261.tif 000005
【図４】
2005259261.tif 000006
【図５】
2005259261.tif 000007
【図６】
2005259261.tif 000008
【図７】
2005259261.tif 000009
【図８】
2005259261.tif 000010